(57)【要約】  本開示は、サイドリンクリソース特定方法及び機器を提供し、前記方法は、プリセット情報及びプリセットパラメータのうち少なくとも１つに基づいて、候補サイドリンクＳＬリソースから、ターゲットＳＬサービスに対するターゲットＳＬリソースを特定することを包含し、前記プリセット情報には、前記端末機器のＵｕインターフェイスに用いるリソースの関連情報と、前記ターゲットＳＬリソースを搬送するキャリアの属性とのうち、何れか１つが含まれ、前記プリセットパラメータには、前記候補ＳＬリソースの利用率及び前記候補ＳＬリソースの通信品質パラメータのうち、少なくとも１つが含まれる。【選択図】  図１
2022502943.tif 000002
【特許請求の範囲】
【請求項１】
端末機器に適用されるサイドリンクリソース特定方法であって、
プリセット情報及びプリセットパラメータのうち少なくとも１つに基づいて、候補サイドリンクＳＬ（Ｓｉｄｅｌｉｎｋ）リソースから、ターゲットＳＬサービスに対するターゲットＳＬリソースを特定することを包含し、
前記プリセット情報には、前記端末機器のＵｕインターフェイスに用いるリソースの関連情報と、前記ターゲットＳＬリソースを搬送するキャリアの属性とのうち、何れか１つが含まれ、前記プリセットパラメータには、前記候補ＳＬリソースの利用率及び前記候補ＳＬリソースの通信品質パラメータのうち、少なくとも１つが含まれる、サイドリンクリソース特定方法。
【請求項２】
前記候補ＳＬリソースには、補足上りリンクＳＵＬ（Ｓｕｐｐｌｅｍｅｎｔ  ＵｐＬｉｎｋ）キャリア上及び非ＳＵＬキャリア上にそれぞれ位置し且つ同じサービス品質ＱｏＳパラメータを持つＳＬリソースが含まれ、前記プリセット情報には、前記Ｕｕインターフェイスに用いるリソースの関連情報が含まれ、且つ前記関連情報には、前記Ｕｕインターフェイスに用いるＳＬリソースの情報が含まれ、
前記のプリセット情報及びプリセットパラメータのうち少なくとも１つに基づいて、候補サイドリンクＳＬリソースから、ターゲットＳＬサービスに対するターゲットＳＬリソースを特定することは、
前記プリセット情報に基づいて、前記候補ＳＬリソースの中の、前記Ｕｕインターフェイスによって用いられるＳＬリソースを、前記ターゲットＳＬリソースとして特定することを包含する、請求項１に記載のサイドリンクリソース特定方法。
【請求項３】
前記プリセット情報には、前記Ｕｕインターフェイスに用いるリソースの関連情報が含まれ、且つ前記関連情報には、前記Ｕｕインターフェイスに用いるＳＬリソースのアクティブ化又は非アクティブ化の情報が含まれ、
前記のプリセット情報及びプリセットパラメータのうち少なくとも１つに基づいて、候補サイドリンクＳＬリソースから、ターゲットＳＬサービスに対するターゲットＳＬリソースを特定することは、
前記プリセット情報に基づいて、前記候補ＳＬリソースの中の、前記Ｕｕインターフェイスによって用いられ且つアクティブ状態にあるＳＬリソースを、前記ターゲットＳＬリソースとして特定することを包含する、請求項１に記載のサイドリンクリソース特定方法。
【請求項４】
前記の前記候補ＳＬリソースの中の、前記Ｕｕインターフェイスによって用いられ且つアクティブ状態にあるＳＬリソースを、前記ターゲットＳＬリソースとして特定することは、
前記候補ＳＬリソースの中の、前記Ｕｕインターフェイスによって用いられ且つアクティブ状態にあるセカンダリセルＳｃｅｌｌ（Ｓｅｃｏｎｄａｒｙ  ｃｅｌｌ）又は帯域幅部分ＢＷＰに対応するＳＬリソースを、前記ターゲットＳＬリソースとして特定することを包含する、請求項３に記載のサイドリンクリソース特定方法。
【請求項５】
前記プリセット情報には、前記Ｕｕインターフェイスに用いるリソースの関連情報が含まれ、前記関連情報には、前記Ｕｕインターフェイスに用いるリソースによる候補ＳＬリソースへの干渉の情報が含まれ、
前記のプリセット情報及びプリセットパラメータのうち少なくとも１つに基づいて、候補サイドリンクＳＬリソースから、ターゲットＳＬサービスに対するターゲットＳＬリソースを特定することは、
前記プリセット情報に基づいて、前記候補ＳＬリソースの中の、前記Ｕｕインターフェイスに用いるリソースによる干渉の度合が第一閾値未満のＳＬリソースを、前記ターゲットＳＬリソースとして特定することを包含する、請求項１に記載のサイドリンクリソース特定方法。
【請求項６】
前記候補ＳＬリソースには、前記端末機器にサポートされているそれぞれの無線アクセス技術ＲＡＴ（Ｒａｄｉｏ  Ａｃｃｅｓｓ  Ｔｅｃｈｎｏｌｏｇｙ）に対応するＳＬリソースプール内のリソースが含まれ、前記プリセット情報には、前記Ｕｕインターフェイスに用いるリソースの関連情報が含まれ、且つ前記関連情報には、前記Ｕｕインターフェイスによって選ばれたＲＡＴの情報が含まれ、
前記のプリセット情報及びプリセットパラメータのうち少なくとも１つに基づいて、候補サイドリンクＳＬリソースから、ターゲットＳＬサービスに対するターゲットＳＬリソースを特定することは、
前記プリセット情報に基づいて、前記Ｕｕインターフェイスによって選ばれたターゲットＲＡＴを特定することと、
前記候補ＳＬリソースの中の、前記ターゲットＲＡＴに対応するＳＬリソースプールから、前記ターゲットＳＬリソースを特定することとを包含する、請求項１に記載のサイドリンクリソース特定方法。
【請求項７】
前記端末機器の特徴情報及び前記ターゲットＳＬサービスの特徴情報のうち少なくとも１つに基づいて、前記ターゲットＳＬリソースを搬送するキャリアの属性を特定することを更に包含し、
前記のプリセット情報及びプリセットパラメータのうち少なくとも１つに基づいて、候補サイドリンクＳＬリソースから、ターゲットＳＬサービスに対するターゲットＳＬリソースを特定することは、
前記プリセット情報に基づいて、前記候補ＳＬリソースの中の、前記属性を持つＳＬリソースを、前記ターゲットＳＬリソースとして特定することを包含する、請求項１に記載のサイドリンクリソース特定方法。
【請求項８】
前記端末機器の特徴情報には、前記端末機器の移動速度が含まれ、
前記ターゲットＳＬサービスの特徴情報には、前記ターゲットＳＬサービスの優先度情報と、前記ターゲットＳＬサービスを搬送する論理チャネル情報とのうち、何れか１つが含まれ、
前記属性は、サブキャリア間隔ＳＣＳ（ＳｕｂＣａｒｒｉｅｒ  Ｓｐａｃｉｎｇ）又は帯域幅部分ＢＷＰによって表される、請求項７に記載のサイドリンクリソース特定方法。
【請求項９】
前記のプリセット情報及びプリセットパラメータのうち少なくとも１つに基づいて、候補サイドリンクＳＬリソースから、ターゲットＳＬサービスに対するターゲットＳＬリソースを特定することは、
前記プリセット情報に基づいて、前記候補ＳＬリソースから、前記ターゲットＳＬサービスに対する第一ＳＬリソースを特定することと、
前記第一ＳＬリソースのプリセットパラメータと第二ＳＬリソースのプリセットパラメータが第一プリセット条件を満たす場合、前記候補ＳＬリソースの中のＳＬリソースである前記第二ＳＬリソースを、前記ターゲットＳＬリソースとして特定することとを包含する、請求項１に記載のサイドリンクリソース特定方法。
【請求項１０】
前記プリセットパラメータには、前記候補ＳＬリソースの利用率が含まれ、前記の前記第一ＳＬリソースのプリセットパラメータと第二ＳＬリソースのプリセットパラメータが第一プリセット条件を満たす場合、前記第二ＳＬリソースを前記ターゲットＳＬリソースとして特定することは、
前記第一ＳＬリソースの利用率が前記第二ＳＬリソースの利用率よりも第二閾値だけ高い場合、前記第二ＳＬリソースを前記ターゲットＳＬリソースとして特定することを包含する、請求項９に記載のサイドリンクリソース特定方法。
【請求項１１】
チャネル占用率ＣＢＲ（Ｃｈａｎｎｅｌ  Ｂｕｓｙ  Ｒａｔｅ）に基づいて、前記利用率を特定することを更に包含する、請求項１０に記載のサイドリンクリソース特定方法。
【請求項１２】
前記プリセットパラメータには、前記候補ＳＬリソースの通信品質パラメータが含まれ、前記の前記第一ＳＬリソースのプリセットパラメータと第二ＳＬリソースのプリセットパラメータが第一プリセット条件を満たす場合、前記第二ＳＬリソースを前記ターゲットＳＬリソースとして特定することは、
前記第一ＳＬリソースの通信品質パラメータが前記第二ＳＬリソースの通信品質パラメータよりも第三閾値だけ低い場合、前記第二ＳＬリソースを前記ターゲットＳＬリソースとして特定することを包含する、請求項９に記載のサイドリンクリソース特定方法。
【請求項１３】
前記通信品質パラメータには、参照信号受信電力ＲＳＲＰ（Ｒｅｆｅｒｅｎｃｅ  Ｓｉｇｎａｌ  Ｒｅｃｅｉｖｉｎｇ  Ｐｏｗｅｒ）及び／又は参照信号受信品質ＲＳＲＱ（Ｒｅｆｅｒｅｎｃｅ  Ｓｉｇｎａｌ  Ｒｅｃｅｉｖｅｄ  Ｑｕａｌｉｔｙ）が含まれる、請求項１２に記載のサイドリンクリソース特定方法。
【請求項１４】
前記のプリセット情報及びプリセットパラメータのうち少なくとも１つに基づいて、候補サイドリンクＳＬリソースから、ターゲットＳＬサービスに対するターゲットＳＬリソースを特定することは、
前記候補ＳＬリソースの中の、前記プリセットパラメータが第二プリセット条件を満たすＳＬリソースを、前記ターゲットＳＬリソースとして特定することを包含する、請求項１に記載のサイドリンクリソース特定方法。
【請求項１５】
端末機器であって、
プリセット情報及びプリセットパラメータのうち少なくとも１つに基づいて、候補サイドリンクＳＬリソースから、ターゲットＳＬサービスに対するターゲットＳＬリソースを特定するためのリソース特定モジュールを含み、
前記プリセット情報には、前記端末機器のＵｕインターフェイスに用いるリソースの関連情報と、前記ターゲットＳＬリソースを搬送するキャリアの属性とのうち、何れか１つが含まれ、前記プリセットパラメータには、前記候補ＳＬリソースの利用率及び前記候補ＳＬリソースの通信品質パラメータのうち、少なくとも１つが含まれる、端末機器。
【請求項１６】
前記候補ＳＬリソースには、補足上りリンクＳＵＬキャリア上及び非ＳＵＬキャリア上にそれぞれ位置し且つ同じサービス品質ＱｏＳパラメータを持つＳＬリソースが含まれ、前記プリセット情報には、前記Ｕｕインターフェイスに用いるリソースの関連情報が含まれ、且つ前記関連情報には、前記Ｕｕインターフェイスに用いるＳＬリソースの情報が含まれ、
前記リソース特定モジュールは、前記プリセット情報に基づいて、前記候補ＳＬリソースの中の、前記Ｕｕインターフェイスによって用いられるＳＬリソースを、前記ターゲットＳＬリソースとして特定するために用いられる、請求項１５に記載の端末機器。
【請求項１７】
前記プリセット情報には、前記Ｕｕインターフェイスに用いるリソースの関連情報が含まれ、且つ前記関連情報には、前記Ｕｕインターフェイスに用いるＳＬリソースのアクティブ化又は非アクティブ化の情報が含まれ、
前記リソース特定モジュールは、前記プリセット情報に基づいて、前記候補ＳＬリソースの中の、前記Ｕｕインターフェイスによって用いられ且つアクティブ状態にあるＳＬリソースを、前記ターゲットＳＬリソースとして特定するために用いられる、請求項１５に記載の端末機器。
【請求項１８】
前記リソース特定モジュールは、具体的に、前記候補ＳＬリソースの中の、前記Ｕｕインターフェイスによって用いられ且つアクティブ状態にあるセカンダリセルＳｃｅｌｌ又は帯域幅部分ＢＷＰに対応するＳＬリソースを、前記ターゲットＳＬリソースとして特定するために用いられる、請求項１７に記載の端末機器。
【請求項１９】
前記プリセット情報には、前記Ｕｕインターフェイスに用いるリソースの関連情報が含まれ、前記関連情報には、前記Ｕｕインターフェイスに用いるリソースによる候補ＳＬリソースへの干渉の情報が含まれ、
前記リソース特定モジュールは、前記プリセット情報に基づいて、前記候補ＳＬリソースの中の、前記Ｕｕインターフェイスに用いるリソースによる干渉の度合が第一閾値未満のＳＬリソースを、前記ターゲットＳＬリソースとして特定するために用いられる、請求項１５に記載の端末機器。
【請求項２０】
前記候補ＳＬリソースには、前記端末機器にサポートされているそれぞれの無線アクセス技術ＲＡＴに対応するＳＬリソースプール内のリソースが含まれ、前記プリセット情報には、前記Ｕｕインターフェイスに用いるリソースの関連情報が含まれ、且つ前記関連情報には、前記Ｕｕインターフェイスによって選ばれたＲＡＴの情報が含まれ、
前記リソース特定モジュールは、前記プリセット情報に基づいて、前記Ｕｕインターフェイスによって選ばれたターゲットＲＡＴを特定し、前記候補ＳＬリソースの中の、前記ターゲットＲＡＴに対応するＳＬリソースプールから、前記ターゲットＳＬリソースを特定するために用いられる、請求項１５に記載の端末機器。
【請求項２１】
前記端末機器の特徴情報及び前記ターゲットＳＬサービスの特徴情報のうち少なくとも１つに基づいて、前記ターゲットＳＬリソースを搬送するキャリアの属性を特定するためのキャリア属性特定モジュールを更に含み、
前記リソース特定モジュールは、前記プリセット情報に基づいて、前記候補ＳＬリソースの中の、前記属性を持つＳＬリソースを、前記ターゲットＳＬリソースとして特定するために用いられる、請求項１５に記載の端末機器。
【請求項２２】
前記端末機器の特徴情報には、前記端末機器の移動速度が含まれ、
前記ターゲットＳＬサービスの特徴情報には、前記ターゲットＳＬサービスの優先度情報と、前記ターゲットＳＬサービスを搬送する論理チャネル情報とのうち、何れか１つが含まれ、
前記属性は、サブキャリア間隔ＳＣＳ又は帯域幅部分ＢＷＰによって表される、請求項２１に記載の端末機器。
【請求項２３】
前記リソース特定モジュールは、
前記プリセット情報に基づいて、前記候補ＳＬリソースから、前記ターゲットＳＬサービスに対する第一ＳＬリソースを特定するための第一特定サブモジュールと、
前記第一ＳＬリソースのプリセットパラメータと第二ＳＬリソースのプリセットパラメータが第一プリセット条件を満たす場合、前記候補ＳＬリソースの中のＳＬリソースである前記第二ＳＬリソースを、前記ターゲットＳＬリソースとして特定するための第二特定サブモジュールとを含む、請求項１５に記載の端末機器。
【請求項２４】
前記プリセットパラメータには、前記候補ＳＬリソースの利用率が含まれ、
前記第二特定サブモジュールは、前記第一ＳＬリソースの利用率が前記第二ＳＬリソースの利用率よりも第二閾値だけ高い場合、前記第二ＳＬリソースを前記ターゲットＳＬリソースとして特定するために用いられる、請求項２３に記載の端末機器。
【請求項２５】
チャネル占用率ＣＢＲに基づいて、前記利用率を特定するための利用率特定モジュールを更に含む、請求項２４に記載の端末機器。
【請求項２６】
前記プリセットパラメータには、前記候補ＳＬリソースの通信品質パラメータが含まれ、
前記第二特定サブモジュールは、前記第一ＳＬリソースの通信品質パラメータが前記第二ＳＬリソースの通信品質パラメータよりも第三閾値だけ低い場合、前記第二ＳＬリソースを前記ターゲットＳＬリソースとして特定するために用いられる、請求項２３に記載の端末機器。
【請求項２７】
前記通信品質パラメータには、参照信号受信電力ＲＳＲＰ及び／又は参照信号受信品質ＲＳＲＱが含まれる、請求項２６に記載の端末機器。
【請求項２８】
前記リソース特定モジュールは、前記候補ＳＬリソースの中の、前記プリセットパラメータが第二プリセット条件を満たすＳＬリソースを、前記ターゲットＳＬリソースとして特定するために用いられる、請求項１５に記載の端末機器。
【請求項２９】
メモリと、プロセッサと、前記メモリに記憶されて前記プロセッサ上で動作する無線通信プログラムとを含み、前記無線通信プログラムが前記プロセッサによって実行されると、請求項１〜１４の何れか一項に記載の方法が実現される、端末機器。
【請求項３０】
無線通信プログラムを記憶したコンピュータ読取可能な媒体であって、前記無線通信プログラムがプロセッサによって実行されると、請求項１〜１４の何れか一項に記載の方法が実現される、コンピュータ読取可能な媒体。
【発明の詳細な説明】
【技術分野】
【０００１】
（関連出願の相互参照）
本願は、２０１８年９月２７日に中国で出願された中国特許出願第２０１８１１１３４３０５．６号の優先権を主張し、その内容の全ては、参照により本願に組み込まれる。
本開示は、通信の技術分野に関し、より具体的に、サイドリンクリソース特定方法及び機器に関する。
【背景技術】
【０００２】
サイドリンク（Ｓｉｄｅｌｉｎｋ、ＳＬ）は、ラテラルリンクやサイド・リンクとも呼ばれ、端末機器ＵＥ（Ｕｓｅｒ  Ｅｑｕｉｐｍｅｎｔ）間でネットワーク機器を介せずにデータ伝送を直接行うためのものである。長期進化ＬＴＥ（Ｌｏｎｇ  Ｔｅｒｍ  Ｅｖｏｌｕｔｉｏｎ）システムにおいて、端末機器ＵＥは、２つのモードによってＳＬリソースを特定しており、一つとして、スケジュールされたリソース割当（Ｓｃｈｅｄｕｌｅｄ  ｒｅｓｏｕｒｃｅ  ａｌｌｏｃａｔｉｏｎ）モードであり、ネットワーク機器によって端末機器ＵＥにＳＬリソースが割り当てられ、もう１つとして、自主リソース選択（ａｕｔｏｎｏｍｏｕｓ  ｒｅｓｏｕｒｃｅ  ｓｅｌｅｃｔｉｏｎ）モードであり、端末機器ＵＥによってＳＬリソースが自主的に選択される。
【０００３】
関連技術において、自主リソース選択モードでの端末機器ＵＥによってＳＬリソースを特定する方案には、ＳＬリソースの利用状況が理想的ではないという欠点がある。
【発明の概要】
【発明が解決しようとする課題】
【０００４】
本開示の実施例は、ＳＬリソースの利用状況を改善するためのサイドリンクリソース特定方法及び機器を提供する。
【課題を解決するための手段】
【０００５】
第一形態は、端末機器に適用されるサイドリンクリソース特定方法であって、プリセット情報及びプリセットパラメータのうち少なくとも１つに基づいて、候補サイドリンクＳＬ（Ｓｉｄｅｌｉｎｋ）リソースから、ターゲットＳＬサービスに対するターゲットＳＬリソースを特定することを包含し、
前記プリセット情報には、前記端末機器のＵｕインターフェイスに用いるリソースの関連情報と、前記ターゲットＳＬリソースを搬送するキャリアの属性とのうち、何れか１つが含まれ、前記プリセットパラメータには、前記候補ＳＬリソースの利用率及び前記候補ＳＬリソースの通信品質パラメータのうち、少なくとも１つが含まれる、サイドリンクリソース特定方法を提供している。
【０００６】
第二形態は、端末機器であって、
プリセット情報及びプリセットパラメータのうち少なくとも１つに基づいて、候補サイドリンクＳＬリソースから、ターゲットＳＬサービスに対するターゲットＳＬリソースを特定するためのリソース特定モジュールを含み、
前記プリセット情報には、前記端末機器のＵｕインターフェイスに用いるリソースの関連情報と、前記ターゲットＳＬリソースを搬送するキャリアの属性とのうち、何れか１つが含まれ、前記プリセットパラメータには、前記候補ＳＬリソースの利用率及び前記候補ＳＬリソースの通信品質パラメータのうち、少なくとも１つが含まれる、端末機器を提供している。
【０００７】
第三形態は、メモリと、プロセッサと、前記メモリに記憶されて前記プロセッサ上で動作可能な無線通信プログラムとを含み、前記無線通信プログラムが前記プロセッサによって実行されると、第一形態に記載の方法が実現される、端末機器を提供している。
【０００８】
第四形態は、無線通信プログラムを記憶した媒体であって、前記無線通信プログラムがプロセッサによって実行されると、第一形態に記載の方法が実現される、コンピュータ読取可能な媒体を提供している。
【発明の効果】
【０００９】
本開示の実施例において、端末機器は、プリセット情報及びプリセットパラメータのうち少なくとも１つに基づいて、候補ＳＬリソースから、ターゲットＳＬサービスに対するターゲットＳＬリソースを特定することが可能であり、前記プリセット情報には、前記端末機器のＵｕインターフェイスに用いるリソースの関連情報と、前記ターゲットＳＬリソースを搬送するキャリアの属性とのうち、何れか１つが含まれ、前記プリセットパラメータには、前記候補ＳＬリソースの利用率及び前記候補ＳＬリソースの通信品質パラメータのうち、少なくとも１つが含まれる。よって、本開示の実施例は、Ｕｕインターフェイスに用いるリソースの関連情報、ターゲットＳＬリソースを搬送するキャリアの属性、候補ＳＬリソースの利用率及び候補ＳＬリソースの通信品質パラメータ等の要因による影響を考慮した上で、ターゲットＳＬリソースを特定しているため、ＳＬリソースの利用状況を改善可能で、端末機器がより合理的且つより好適にＳＬリソースを使用できるようになる。
【００１０】
本開示の実施例又は関連技術における技術案をより明確に説明するために、以下、実施例又は関連技術の説明に必要な図面を簡単に紹介するが、明らかなことに、以下で説明される図面は、あくまでも本開示に記載のいくつかの実施例であり、当業者にとっては、創造的な労働を払わずに、これらの図面に基づいて他の図面を得ることができる。
【図面の簡単な説明】
【００１１】
【図１】本開示の実施例によるサイドリンクリソース特定方法の模式的なフローチャートである。
【図２】図１に示す実施例におけるステップ１０１の詳細なフロー模式図である。
【図３】本開示の実施例による端末機器３００の構造模式図である。
【図４】図３に示す実施例におけるモジュール３０１の詳細な構造模式図である。
【図５】本開示の実施例による端末機器５００の構造模式図である。
【発明を実施するための形態】
【００１２】
当業者が本開示における技術案をより良好に理解できるようにするために、以下、本開示の実施例における図面を参照しながら、本開示の実施例における技術案を明確且つ完全に説明するが、明らかなことに、説明される実施例は、本開示の一部の実施例であり、すべての実施例ではない。本開示内の実施例に基づいて、当業者によって創造的な労働を払わずに得られた他の実施例は、全て本開示の保護範囲に含まれるものとする。
【００１３】
理解されたいのは、本開示の実施例に係る技術案は、例えば、グローバルシステムオブモバイルコミュニケーションＧＳＭ（Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続ＣＤＭＡ（Ｃｏｄｅ  Ｄｉｖｉｓｉｏｎ  Ｍｕｌｔｉｐｌｅ  Ａｃｃｅｓｓ）システム、広帯域符号分割多元接続ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービスＧＰＲＳ（Ｇｅｎｅｒａｌ  Ｐａｃｋｅｔ  Ｒａｄｉｏ  Ｓｅｒｖｉｃｅ）、長期進化ＬＴＥ（Ｌｏｎｇ  Ｔｅｒｍ  Ｅｖｏｌｕｔｉｏｎ）システム、ＬＴＥ周波数分割複信ＦＤＤ（Ｆｒｅｑｕｅｎｃｙ  Ｄｉｖｉｓｉｏｎ  Ｄｕｐｌｅｘ）システム、ＬＴＥ時分割複信ＴＤＤ（Ｔｉｍｅ  Ｄｉｖｉｓｉｏｎ  Ｄｕｐｌｅｘ）、ユニバーサルモバイルテレコミュニケーションシステムＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）又はワールドワイド・インターオペラビリティ・フォー・マイクロウェーブ・アクセスＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、第五世代５Ｇ（５ｔｈ  ｇｅｎｅｒａｔｉｏｎ）通信システム、又は新しい無線ＮＲ（Ｎｅｗ  Ｒａｄｉｏ）システムといった様々な通信システムに適用可能である。
【００１４】
端末機器ＵＥ（Ｕｓｅｒ  Ｅｑｕｉｐｍｅｎｔ）は、モバイル端末（Ｍｏｂｉｌｅ  Ｔｅｒｍｉｎａｌ）やモバイル端末機器等と呼ばれてもよく、無線アクセスネットワークＲＡＮ（Ｒａｄｉｏ  Ａｃｃｅｓｓ  Ｎｅｔｗｏｒｋ）を介して、少なくとも１つのコアネットワークと通信可能である。端末機器は、携帯電話（「セルラ」フォンとも称される）などのモバイル端末や、モバイル端末を有するコンピュータであってもよく、例えば、ポータブル、ポケットサイズ、ハンドヘルド、コンピュータ内蔵又は車載のモバイル装置であってもよく、それらは、無線アクセスネットワークと音声及び／又はデータを交換する。
【００１５】
ネットワーク機器は、端末機器にリソースを割り当てるために無線アクセスネットワーク内に配置される装置であり、前記ネットワーク機器は、基地局であってもよく、前記基地局は、ＧＳＭ又はＣＤＭＡにおける基地局（Ｂａｓｅ  Ｔｒａｎｓｃｅｉｖｅｒ  Ｓｔａｔｉｏｎ、ＢＴＳ）であってもよいし、ＷＣＤＭＡにおける基地局（ＮｏｄｅＢ）であってもよく、ＬＴＥにおける進化型基地局（ｅｖｏｌｕｔｉｏｎａｌ  Ｎｏｄｅ  Ｂ、ｅＮＢ又はｅ−ＮｏｄｅＢ）や５Ｇ基地局（ｇＮＢ）、並びに後続の進化型通信システムにおけるネットワーク側装置であってもよいが、言葉遣いは、本開示の保護範囲に対する制限を構成するものではない。
【００１６】
説明すべきなのは、具体的な実施例を記載する際、各手順の番号の大きさは、実行順の前後を意味するのではなく、各手順の実行順は、その機能及び内在的なロジックによって特定されるものであり、本開示の実施例の実施手順に対して如何なる限定を構成しないと理解されたい。
【００１７】
説明すべきなのは、以下、５Ｇシステムを例として、本開示の実施例によるサイドリンクリソース特定方法及び機器を説明するが、本開示の実施例によるサイドリンクリソース特定方法及び機器は、更に他の通信システムに適用可能であり、５Ｇシステムに限定されないことを理解されたい。
【００１８】
更に説明すべきなのは、本開示の実施例において「及び／又は」によって繋げられた記載オブジェクトは、「及び／又は」によって繋げられた２つのオブジェクトのうち、少なくとも１つとして理解され得る。
【００１９】
以下、先ず図１を参照して、端末機器に適用されるサイドリンクリソース特定方法について説明する。
【００２０】
図１は、端末機器に適用される、本開示の一実施例によるサイドリンクリソース特定方法を示している。図１に示すように、当該方法は、
プリセット情報及びプリセットパラメータのうち少なくとも１つに基づいて、候補サイドリンクＳＬリソースから、ターゲットＳＬサービスに対するターゲットＳＬリソースを特定するステップ１０１を包含してもよい。
【００２１】
ここで、前記プリセット情報には、前記端末機器のＵｕインターフェイスに用いるリソースの関連情報と、前記ターゲットＳＬリソースを搬送するキャリアの属性とのうち、何れか１つが含まれ、前記プリセットパラメータには、前記候補ＳＬリソースの利用率及び前記候補ＳＬリソースの通信品質パラメータのうち、少なくとも１つが含まれる。Ｕｕインターフェイスとは、ユーザからネットワークへの汎用Ｕｕ（Ｕｓｅｒ  ｔｏ  Ｎｅｔｗｏｒｋ  ｉｎｔｅｒｆａｃｅ  ｕｎｉｖｅｒｓａｌ）インターフェイスを指す。以下では、上記プリセット情報は、具体的な実施形態を元に更に詳しく説明されるため、その詳細について、後文を参照されたい。
【００２２】
ターゲットＳＬサービスは、ある端末機器がサイドリンクＳＬ（Ｓｉｄｅｌｉｎｋ）を通して別の端末機器を発見するサービス（以下、発見サービスと略す）であってもよく、又は、ある端末機器がＳＬを通して別の端末機器へデータを伝送するサービス（以下、伝送サービスと略す）であってもよい。
【００２３】
候補ＳＬリソースは、ネットワーク側によって予め設定されたＳＬサービスのためのリソースプール（ｐｏｏｌ）内のリソースであってもよい。一般的に、端末機器用にネットワーク側によって予め設定されたＳＬサービスのためのリソースプールには、発見サービス又は伝送サービス用のリソースに加えて、伝送サービスに関連するパラメータが含まれてもよい。例えば、リソースプールの最初のサブフレームのオフセット値、リソースプールに対応するビットマップ（ｂｉｔｍａｐ）、隣接するリソースブロックＲＢ（Ｒｅｓｏｕｒｃｅ  Ｂｌｏｃｋ）で物理サイドリンク制御チャネルＰＳＣＣＨ（Ｐｈｙｓｉｃａｌ  Ｓｉｄｅｌｉｎｋ  Ｃｏｎｔｒｏｌ  Ｃｈａｎｎｅｌ）及び物理サイドリンク共有チャネルＰＳＳＣＨ（Ｐｈｙｓｉｃａｌ  Ｓｉｄｅｌｉｎｋ  Ｓｈａｒｅｄ  Ｃｈａｎｎｅｌ）を送信するかどうか、サブチャネルの数量と各サブチャネルのサイズ及びサブチャネルに対応する最小のＲＢインデックス値、ＰＳＣＣＨリソースプールに対応する最小のＲＢインデックス値、チャネル占用率ＣＢＲ（Ｃｈａｎｎｅｌ  Ｂｕｓｙ  Ｒａｔｅ）測定のサイドリンク受信信号強度インジケータＳＬ−ＲＳＳＩ（Ｓｉｄｅｌｉｎｋ  Ｒｅｃｅｉｖｅｄ  Ｓｉｇｎａｌ  Ｓｔｒｅｎｇｔｈ  Ｉｎｄｉｃａｔｏｒ）しきい値、エリア識別子等のパラメータが含まれてもよい。
【００２４】
選択的に、端末機器用にネットワーク側によって設定されたＳＬサービスのためのリソースプールとしては、通常のリソースプールに加えて、例外的なリソースプール（ｅｘｃｅｐｔｉｏｎａｌ  ｐｏｏｌ）が設定されてもよく、例外的なリソースプールは、いくつかの特殊な状況で使用され、例えば、使用リソースの切り替え、無線リンク障害ＲＬＦ（Ｒａｄｉｏ  Ｌｉｎｋ  Ｆａｉｌｕｒｅ）、アイドル（ＩＤＬＥ）から接続（ＣＯＮＮＥＣＴＥＤ）状態への移行等の過程に適用される。
【００２５】
ターゲットＳＬリソースは、ターゲットＳＬサービスを処理するために用いる必要のあるＳＬリソースである。
【００２６】
実際の応用において、端末機器は、ターゲットＳＬサービスを処理しようとするとき、又は、ターゲットＳＬサービス用に他の方式に基づいて特定されたターゲットＳＬリソースがニーズを満たしておらず、ターゲットＳＬサービスに対するターゲットＳＬリソースを改めて特定する必要があるとき、上記ステップ１０１を実行してもよい。
【００２７】
本開示の実施例において、端末機器は、Ｕｕインターフェイスに用いるリソースの関連情報、ターゲットＳＬリソースを搬送するキャリアの属性、候補ＳＬリソースの利用率及び候補ＳＬリソースの通信品質パラメータのうち、少なくとも１つの要因による影響を考慮した上で、ターゲットＳＬサービスに対するターゲットＳＬリソースを特定しているため、端末機器によるＳＬリソースの利用状況を改善可能で、端末機器がより合理的且つより好適にＳＬリソースを使用できるようになる。
【００２８】
以下、具体的な実施形態を元に、本開示の実施例によるサイドリンクリソース特定方法について説明する。
【００２９】
第一の具体的な実施形態において、ステップ１０１は、プリセット情報に基づいて、候補サイドリンクＳＬリソースから、ターゲットＳＬサービスに対するターゲットＳＬリソースを特定することを包含してもよい。
【００３０】
一例として、上記第一の具体的な実施形態において、ステップ１０１における候補ＳＬリソースには、補足上りリンクＳＵＬ（Ｓｕｐｐｌｅｍｅｎｔ  ＵｐＬｉｎｋ）キャリア上及び非ＳＵＬキャリア上にそれぞれ位置し且つ同じサービス品質ＱｏＳ（Ｑｕａｌｉｔｙ  ｏｆ  Ｓｅｒｖｉｃｅ）パラメータを持つＳＬリソースが含まれ、前記プリセット情報には、前記Ｕｕインターフェイスに用いるリソースの関連情報が含まれ、且つ前記関連情報には、前記Ｕｕインターフェイスに用いるＳＬリソースの情報が含まれる。
【００３１】
ネットワーク側によって１つのセル（ｃｅｌｌ）用に２つの上行キャリアが設定されれば、一方は、通常のキャリア（非ＳＵＬキャリアとも呼ばれる）となり、他方は、ＳＵＬキャリアとなる。一般に、ＳＵＬキャリアのカバレッジ性能は、非ＳＵＬキャリアのカバレッジ性能よりも優れており、ＳＵＬキャリアは、ＮＲシステムのキャリアカバレッジを向上させるために使用可能である。
【００３２】
そのうち、ＱｏＳパラメータには、具体的に、サービスの優先度、データパケット又はデータストリームのレイテンシ（ｌａｔｅｎｃｙ）、データパケット又はデータストリームの信頼性（Ｒｅｌｉａｂｉｌｉｔｙ）、データパケット又はデータストリームの通信距離（ｃｏｍｍｕｎｉｃａｔｉｏｎ  ｒａｎｇｅ）、データパケット又はデータストリームのサイズ（ｐａｙｌｏａｄ）、データパケット又はデータストリームの送信レート（ｃｏｍｍｕｎｉｃａｔｉｏｎ  ｒａｎｇｅ）、データパケット又はデータストリームのデータレート（Ｄａｔａ  ｒａｔｅ）といったパラメータのうち、１つ又は複数が含まれてもよいが、これらに限定されない。
【００３３】
それに応じて、ステップ１０１は、具体的に、前記プリセット情報に基づいて、前記候補ＳＬリソースの中の、前記Ｕｕインターフェイスによって用いられるＳＬリソースを、前記ターゲットＳＬリソースとして特定することを包含してもよい。
【００３４】
具体的に、前記Ｕｕインターフェイスに用いるＳＬリソースが前記ＳＵＬキャリアであれば、前記ＳＵＬキャリアを前記ターゲットＳＬリソースとして特定し、前記Ｕｕインターフェイスに用いるＳＬリソースが前記非ＳＵＬキャリアであれば、前記非ＳＵＬキャリアを前記ターゲットＳＬリソースとして特定する。
【００３５】
この例によって説明したいのは、１つのセル用に設定されたＳＵＬキャリア及び非ＳＵＬキャリア上に同じＱｏＳのＳＬリソースがあれば、端末機器は、Ｕｕインターフェイスが現在ＳＵＬキャリア上で機能しているか、それとも非ＳＵＬキャリア上で機能しているかを考慮して、ターゲットＳＬリソースを特定してもよいことである。具体的には、Ｕｕインターフェイスが現在機能しているキャリア上のＳＬリソースをターゲットＳＬリソースとして特定する。こうして、キャリアの切り替えを低減し、通信効率を向上させることができる。
【００３６】
別の一例として、上記第一の具体的な実施形態において、ステップ１０１におけるプリセット情報には、前記Ｕｕインターフェイスに用いるリソースの関連情報が含まれ、且つ前記関連情報には、前記Ｕｕインターフェイスに用いるＳＬリソースのアクティブ化又は非アクティブ化の情報が含まれる。
【００３７】
それに応じて、ステップ１０１は、具体的に、前記プリセット情報に基づいて、前記候補ＳＬリソースの中の、前記Ｕｕインターフェイスによって用いられ且つアクティブ状態にあるＳＬリソースを、前記ターゲットＳＬリソースとして特定することを包含してもよい。
【００３８】
更に具体的に、前記候補ＳＬリソースの中の、前記Ｕｕインターフェイスによって用いられ且つアクティブ状態にあるセカンダリセルＳｃｅｌｌ（Ｓｅｃｏｎｄａｒｙ  ｃｅｌｌ）又は帯域幅部分ＢＷＰ（ｂａｎｄｗｉｄｔｈ  ｐａｒｔ）に対応するＳＬリソースを、前記ターゲットＳＬリソースとして特定してもよい。
【００３９】
この例によって説明したいのは、異なるキャリア上に位置するＳｃｅｌｌ又は帯域幅部分ＢＷＰには、アクティブ状態又は非アクティブ状態との２つの異なる状態が存在するため、ＳＬリソース及びＵｕインターフェイスに用いるキャリアが同じであって混合キャリアを形成していれば、Ｕｕインターフェイスに用いるリソースがアクティブ化又は非アクティブ化されているかどうかに基づいて、ターゲットＳＬリソースを特定してもよいことである。具体的には、候補ＳＬリソースの中の、Ｕｕインターフェイスによって用いられ且つアクティブ状態にあるセカンダリセルＳｃｅｌｌ又は帯域幅部分ＢＷＰ対応するＳＬリソースを、前記ターゲットＳＬリソースとして特定してもよい。こうして、端末機器の無線周波数変化（Ｒａｄｉｏ  ｆｒｅｑｕｅｎｃｙ  ｃｈａｎｇｅ、ＲＦ  ｃｈａｎｇｅ）を低減することができる。
【００４０】
別の一例として、上記第一の具体的な実施形態において、ステップ１０１におけるプリセット情報には、前記Ｕｕインターフェイスに用いるリソースの関連情報が含まれ、前記関連情報には、前記Ｕｕインターフェイスに用いるリソースによる候補ＳＬリソースへの干渉の情報が含まれる。
【００４１】
それに応じて、ステップ１０１は、具体的に、前記プリセット情報に基づいて、前記候補ＳＬリソースの中の、前記Ｕｕインターフェイスに用いるリソースによる干渉の度合が第一閾値未満のＳＬリソースを、前記ターゲットＳＬリソースとして特定することを包含してもよい。
【００４２】
そのうち、Ｕｕインターフェイスに用いるリソースによる候補ＳＬリソースへの干渉は、高調波、変調間歪みＩＭＤ（ｉｎｔｅｒ−ｍｏｄｕｌａｔｉｏｎ  ｄｉｓｔｏｒｔｉｏｎ）や隣接周波数漏洩等であり得る。
【００４３】
この例によって説明したいのは、Ｕｕインターフェイスは、ある周波数のリソース上で機能している（例えばデータを送信又は受信している）とき、別の周波数のリソースに干渉してしまうため、前記Ｕｕインターフェイスに用いるリソースによる候補ＳＬリソースへの干渉の度合に基づいて、ターゲットＳＬリソースを特定してもよいことである。具体的には、前記Ｕｕインターフェイスに用いるリソースによる候補ＳＬリソースへの干渉の度合が一定のしきい値未満となる候補ＳＬリソースを、ターゲットＳＬリソースとして特定してもよい。こうして、ターゲットＳＬリソースを用いてターゲットＳＬサービスを処理する時に端末機器が受ける干渉を低減し、ターゲットＳＬサービスがスムーズに処理されるのを保証することができる。
【００４４】
更なる一例として、上記第一の具体的な実施形態において、ステップ１０１における候補ＳＬリソースには、前記端末機器にサポートされているそれぞれの無線アクセス技術ＲＡＴ（Ｒａｄｉｏ  Ａｃｃｅｓｓ  Ｔｅｃｈｎｏｌｏｇｙ）に対応するＳＬリソースプール内のリソースが含まれてもよく、前記プリセット情報には、前記Ｕｕインターフェイスに用いるリソースの関連情報が含まれ、且つ前記関連情報には、前記Ｕｕインターフェイスによって選ばれたＲＡＴの情報が含まれる。
【００４５】
それに応じて、ステップ１０１は、具体的に、前記プリセット情報に基づいて、前記Ｕｕインターフェイスによって選ばれたターゲットＲＡＴを特定することと、前記候補ＳＬリソースの中の、前記ターゲットＲＡＴに対応するＳＬリソースプールから、前記ターゲットＳＬリソースを特定することとを包含してもよい。
【００４６】
この例において、Ｕｕインターフェイスによって現在選ばれているＲＡＴに基づいて、ターゲットＳＬリソースを特定している。こうして、特定されたターゲットＳＬリソースに対応するＲＡＴと、Ｕｕインターフェイスによって現在選ばれているＲＡＴとが一致せず、ＲＡＴの切り替えが必要になるという現象の発生を回避できる。
【００４７】
更に別の一例として、上記第一の具体的な実施形態において、ステップ１０１におけるプリセット情報には、前記ターゲットＳＬリソースを搬送するキャリアの属性が含まれ、且つ本開示の実施例によるサイドリンクリソース特定方法は、前記端末機器の特徴情報及び前記ターゲットＳＬサービスの特徴情報のうち少なくとも１つに基づいて、前記ターゲットＳＬリソースを搬送するキャリアの属性を特定することを更に包含してもよい。
【００４８】
そのうち、キャリアの属性は、サブキャリア間隔ＳＣＳ（ＳｕｂＣａｒｒｉｅｒ  Ｓｐａｃｉｎｇ）又は帯域幅部分ＢＷＰによって表されてもよい。端末機器の特徴情報には、前記端末機器の移動速度が含まれてもよいが、これに限定されない。そのうち、ターゲットＳＬサービスの特徴情報には、前記ターゲットＳＬサービスの優先度情報と、前記ターゲットＳＬサービスを搬送する論理チャネル情報とのうち、何れか１つが含まれてもよいが、これに限定されない。
【００４９】
例えば、一般に、キャリアの属性がサブキャリア間隔ＳＣＳによって表されれば、端末機器の移動速度が速いか、或いはターゲットＳＬサービスの優先度が高いほど、それに応じて、特定されるターゲットＳＬリソースのキャリアのサブキャリア間隔ＳＣＳが大きくなり、キャリアの属性が帯域幅部分ＢＷＰによって表されれば、端末機器の移動速度が速いほど、それに応じて、ターゲットＳＬリソースのキャリアの属性として、高速移動の端末機器をサポートしている旨の識別子付きの帯域幅部分ＢＷＰが選択される。実際の応用において、端末機器の特徴情報又はターゲットＳＬサービスの特徴情報と、ターゲットＳＬリソースを搬送するキャリアの属性との対応関係を予め構築しておき、その後、当該対応関係に基づいて、ターゲットＳＬリソースを搬送するキャリアの属性を特定してもよい。
【００５０】
それに応じて、上記ステップ１０１は、前記プリセット情報に基づいて、前記候補ＳＬリソースの中の、前記属性を持つＳＬリソースを、前記ターゲットＳＬリソースとして特定することを包含してもよい。
【００５１】
この例において、ターゲットＳＬリソースを搬送するキャリアの属性に基づいて、ターゲットＳＬリソースを特定している。こうして、特定のＳＬサービス又は特定の論理チャネル上で搬送されるＳＬサービスが特定のＳＬリソースを使用しなければならないというニーズを満たすことができる。
【００５２】
第二の具体的な実施形態において、ステップ１０１は、プリセット情報及びプリセットパラメータに基づいて、候補サイドリンクＳＬリソースから、ターゲットＳＬサービスに対するターゲットＳＬリソースを特定することを包含してもよい。
【００５３】
例えば、図２に示すように、ステップ１０１は、以下のサブステップ２０１〜２０２を包含してもよい。
【００５４】
サブステップ２０１：前記プリセット情報に基づいて、前記候補ＳＬリソースから、前記ターゲットＳＬサービスに対する第一ＳＬリソースを特定する。
【００５５】
説明すべきなのは、サブステップ２０１における第一ＳＬリソースの特定方式は、前文に記載の第一の具体的な実施形態におけるターゲットＳＬリソースの特定方式に対応して一致しているため、重複を回避するために、ここでは繰り返して説明しない。
【００５６】
サブステップ２０２：前記第一ＳＬリソースのプリセットパラメータと第二ＳＬリソースのプリセットパラメータが第一プリセット条件を満たす場合、前記候補ＳＬリソースの中のＳＬリソースである前記第二ＳＬリソースを、前記ターゲットＳＬリソースとして特定する。
【００５７】
選択的に、前記第一ＳＬリソースのプリセットパラメータと第二ＳＬリソースのプリセットパラメータが上記第一プリセット条件を満たさない場合、前記第一ＳＬリソースを前記ターゲットＳＬリソースとして特定する。
【００５８】
この実施形態において、第二ＳＬリソースは、候補ＳＬリソースの中の、第一ＳＬリソースとは異なるリソースであり、つまり、第一ＳＬリソースとして選択されていない候補ＳＬリソースである。一例として、第二ＳＬリソースは、候補ＳＬリソースの中の、第一ＳＬリソース以外の一部又は全てのＳＬリソースであってもよい。
【００５９】
上述のように、プリセットパラメータには、前記候補ＳＬリソースの利用率及び前記候補ＳＬリソースの通信品質パラメータのうち、少なくとも１つが含まれてもよいが、これらに限定されない。
【００６０】
それに応じて、一例において、プリセットパラメータに前記候補ＳＬリソースの利用率が含まれれば、サブステップ２０２は、前記第一ＳＬリソースの利用率が前記第二ＳＬリソースの利用率よりも第二閾値だけ高い場合、前記第二ＳＬリソースを前記ターゲットＳＬリソースとして特定することを包含してもよい。
【００６１】
そのうち、リソースの利用率は、チャネル占用率ＣＢＲ（Ｃｈａｎｎｅｌ  Ｂｕｓｙ  Ｒａｔｅ）に基づいて特定されてもよい。それに応じて、この例において、リソースの利用率がチャネル占用率ＣＢＲによって表されれば、第一ＳＬリソースのチャネル占用率ＣＢＲが第二ＳＬリソースのチャネル占用率ＣＢＲよりも第二閾値だけ高い場合、前記第二ＳＬリソースを前記ターゲットＳＬリソースとして特定してもよい。
【００６２】
具体的に、第一ＳＬリソースのチャネル占用率ＣＢＲがａに等しく、第二ＳＬリソースのチャネル占用率ＣＢＲがｂに等しく、第二閾値がｃであると仮定すれば、ａ−ｂ＞ｃとなり、ここで、ａ、ｂ、ｃは、何れも０以上である。
【００６３】
リソースの利用率がリソースの繁忙度合を反映しているため、あるリソースの利用率が高いほど（チャネル占用率ＣＢＲが大きいほど）、当該リソースが繁忙になり、逆の場合、暇になる。従って、理解できるように、この例によって説明したいのは、ターゲットＳＬサービスに対する第一ＳＬリソースがサブステップ２０１に基づいて特定された後、そのまま第一ＳＬリソースをターゲットＳＬリソースとするのではなく、候補ＳＬリソースの中の、第一ＳＬリソースとして選択されていないＳＬリソースの方がより低い繁忙度合になっているかを更に特定する必要があり、第一ＳＬリソースが第二ＳＬリソースよりも繁忙であれば、第二ＳＬリソースをターゲットＳＬリソースとして選択し、逆の場合に限って、第一ＳＬリソースをターゲットＳＬリソースとして選択することである。これは、ターゲットＳＬサービスがより好適に処理されるのを、最終的に特定されたターゲットＳＬリソースによって保証できるようにするためである。
【００６４】
別の一例において、プリセットパラメータに前記候補ＳＬリソースの通信品質パラメータが含まれれば、サブステップ２０２は、前記第一ＳＬリソースの通信品質パラメータが前記第二ＳＬリソースの通信品質パラメータよりも第三閾値だけ低い場合、前記第二ＳＬリソースを前記ターゲットＳＬリソースとして特定することを包含してもよい。
【００６５】
そのうち、通信品質パラメータには、参照信号受信電力ＲＳＲＰ（Ｒｅｆｅｒｅｎｃｅ  Ｓｉｇｎａｌ  Ｒｅｃｅｉｖｉｎｇ  Ｐｏｗｅｒ）及び参照信号受信品質ＲＳＲＱ（Ｒｅｆｅｒｅｎｃｅ  Ｓｉｇｎａｌ  Ｒｅｃｅｉｖｅｄ  Ｑｕａｌｉｔｙ）が含まれてもよいが、これらに限定されない。
【００６６】
具体的に、第一ＳＬリソースの通信品質パラメータがｄに等しく、第二ＳＬリソースの通信品質パラメータがｅに等しく、第三閾値がｆであると仮定すれば、ｅ−ｄ＞ｆとなり、ここで、ａ、ｂ、ｃは、何れも０以上である。
【００６７】
通信品質パラメータがリソースの性能を反映しているため、あるリソースの通信品質パラメータが高いほど、当該リソースの性能が良好となり、逆の場合、その性能が悪くなる。従って、理解できるように、この例によって説明したいのは、ターゲットＳＬサービスに対する第一ＳＬリソースがサブステップ２０１に基づいて特定された後、そのまま第一ＳＬリソースをターゲットＳＬリソースとするのではなく、候補ＳＬリソースの中の第一ＳＬリソースとして選択されていないＳＬリソースの方がより良好な性能になっているかを更に特定する必要があり、第二ＳＬリソースよりも第一ＳＬリソースの性能が悪ければ、第二ＳＬリソースをターゲットＳＬリソースとして選択し、逆の場合に限って、第一ＳＬリソースをターゲットＳＬリソースとして選択することである。これは、ターゲットＳＬサービスがより好適に処理されるのを、最終的に特定されたターゲットＳＬリソースによって保証できるようにするためである。
【００６８】
第三の具体的な実施形態において、ステップ１０１は、プリセットパラメータに基づいて、候補サイドリンクＳＬリソースから、ターゲットＳＬサービスに対するターゲットＳＬリソースを特定することを包含してもよい。
【００６９】
具体的に、ステップ１０１は、前記候補ＳＬリソースの中の、前記プリセットパラメータが第二プリセット条件を満たすＳＬリソースを、前記ターゲットＳＬリソースとして特定することを包含してもよい。
【００７０】
例えば、前記プリセットパラメータが候補ＳＬリソースの利用率であれば、前記候補ＳＬリソースの中の、利用率が最低となるか、或いはある閾値未満となるＳＬリソースを、前記ターゲットＳＬリソースとして特定してもよい。
【００７１】
更に例えば、前記プリセットパラメータが候補ＳＬリソースの通信品質パラメータであれば、前記候補ＳＬリソースの中の、通信品質パラメータが最高となるか、あるいはある閾値超となるＳＬリソースを、前記ターゲットＳＬリソースとして特定してもよい。
【００７２】
ここまで、端末機器に適用されるサイドリンクリソース特定方法について説明した。以下、図３〜図４を参照して、本開示の実施例による端末機器を詳しく説明する。
【００７３】
図３は、本開示の実施例による端末機器の構造模式図を示している。図３に示すように、端末機器３００は、リソース特定モジュール３０１を含む。
【００７４】
リソース特定モジュール３０１は、プリセット情報及びプリセットパラメータのうち少なくとも１つに基づいて、候補サイドリンクＳＬリソースから、ターゲットＳＬサービスに対するターゲットＳＬリソースを特定するためのものである。
【００７５】
前記プリセット情報には、前記端末機器のＵｕインターフェイスに用いるリソースの関連情報と、前記ターゲットＳＬリソースを搬送するキャリアの属性とのうち、何れか１つが含まれ、前記プリセットパラメータには、前記候補ＳＬリソースの利用率及び前記候補ＳＬリソースの通信品質パラメータのうち、少なくとも１つが含まれる。
【００７６】
本開示の実施例において、端末機器は、Ｕｕインターフェイスに用いるリソースの関連情報、ターゲットＳＬリソースを搬送するキャリアの属性、候補ＳＬリソースの利用率及び候補ＳＬリソースの通信品質パラメータのうち、少なくとも１つの要因による影響を考慮した上で、ターゲットＳＬサービスに対するターゲットＳＬリソースを特定しているため、端末機器によるＳＬリソースの利用状況を改善可能で、端末機器がより合理的且つより好適にＳＬリソースを使用できるようになる。
【００７７】
以下、具体的な実施形態を元に、本開示の実施例による端末機器３００について説明する。
【００７８】
第一の具体的な実施形態において、端末機器３００におけるリソース特定モジュール３０１は、プリセット情報に基づいて、候補サイドリンクＳＬリソースから、ターゲットＳＬサービスに対するターゲットＳＬリソースを特定するために用いられてもよい。
【００７９】
一例として、上記第一の具体的な実施形態において、リソース特定モジュール３０１の候補ＳＬリソースには、ＳＵＬキャリア上及び非ＳＵＬキャリア上にそれぞれ位置し且つ同じＱｏＳパラメータを持つＳＬリソースが含まれ、前記プリセット情報には、前記Ｕｕインターフェイスに用いるリソースの関連情報が含まれ、且つ前記関連情報には、前記Ｕｕインターフェイスに用いるＳＬリソースの情報が含まれる。
【００８０】
それに応じて、リソース特定モジュール３０１は、具体的に、前記プリセット情報に基づいて、前記候補ＳＬリソースの中の、前記Ｕｕインターフェイスによって用いられるＳＬリソースを、前記ターゲットＳＬリソースとして特定するために用いられてもよい。
【００８１】
具体的に、前記Ｕｕインターフェイスに用いるＳＬリソースが前記ＳＵＬキャリアであれば、前記ＳＵＬキャリアを前記ターゲットＳＬリソースとして特定し、前記Ｕｕインターフェイスに用いるＳＬリソースが前記非ＳＵＬキャリアであれば、前記非ＳＵＬキャリアを前記ターゲットＳＬリソースとして特定する。
【００８２】
この例によって説明したいのは、１つのセル用に設定されたＳＵＬキャリア及び非ＳＵＬキャリア上に同じＱｏＳのＳＬリソースがあれば、端末機器は、Ｕｕインターフェイスが現在ＳＵＬキャリア上で機能しているか、それとも非ＳＵＬキャリア上で機能しているかを考慮して、ターゲットＳＬリソースを特定してもよいことである。具体的には、Ｕｕインターフェイスが現在機能しているキャリア上のＳＬリソースをターゲットＳＬリソースとして特定する。こうして、キャリアの切り替えを低減し、通信効率を向上させることができる。
【００８３】
別の一例として、上記第一の具体的な実施形態において、リソース特定モジュール３０１におけるプリセット情報には、前記Ｕｕインターフェイスに用いるリソースの関連情報が含まれ、且つ前記関連情報には、前記Ｕｕインターフェイスに用いるＳＬリソースのアクティブ化又は非アクティブ化の情報が含まれる。
【００８４】
それに応じて、リソース特定モジュール３０１は、具体的に、前記プリセット情報に基づいて、前記候補ＳＬリソースの中の、前記Ｕｕインターフェイスによって用いられ且つアクティブ状態にあるＳＬリソースを、前記ターゲットＳＬリソースとして特定するために用いられてもよい。
【００８５】
更に具体的に、前記候補ＳＬリソースの中の、前記Ｕｕインターフェイスによって用いられ且つアクティブ状態にあるＳｃｅｌｌ又は帯域幅部分ＢＷＰに対応するＳＬリソースを、前記ターゲットＳＬリソースとして特定してもよい。
【００８６】
この例によって説明したいのは、異なるキャリア上に位置するＳｃｅｌｌ又は帯域幅部分ＢＷＰには、アクティブ状態又は非アクティブ状態との２つの異なる状態が存在するため、ＳＬリソース及びＵｕインターフェイスに用いるキャリアが同じキャリア上に位置して混合キャリアを形成していれば、Ｕｕインターフェイスに用いるリソースがアクティブ化又は非アクティブ化されているかどうかに基づいて、ターゲットＳＬリソースを特定してもよいことである。具体的には、候補ＳＬリソースの中の、Ｕｕインターフェイスによって用いられ且つアクティブ状態にあるセカンダリセルＳｃｅｌｌ又は帯域幅部分ＢＷＰに対応するＳＬリソースを、前記ターゲットＳＬリソースとして特定してもよい。こうして、端末機器の無線周波数変化（Ｒａｄｉｏ  ｆｒｅｑｕｅｎｃｙ  ｃｈａｎｇｅ、ＲＦ  ｃｈａｎｇｅ）を低減することができる。
【００８７】
別の一例として、上記第一の具体的な実施形態において、リソース特定モジュール３０１におけるプリセット情報には、前記Ｕｕインターフェイスに用いるリソースの関連情報が含まれ、前記関連情報には、前記Ｕｕインターフェイスに用いるリソースによる候補ＳＬリソースへの干渉の情報が含まれる。
【００８８】
それに応じて、リソース特定モジュール３０１は、具体的に、前記プリセット情報に基づいて、前記候補ＳＬリソースの中の、前記Ｕｕインターフェイスに用いるリソースによる干渉の度合が第一閾値未満のＳＬリソースを、前記ターゲットＳＬリソースとして特定するために用いられてもよい。
【００８９】
そのうち、Ｕｕインターフェイスに用いるリソースによる候補ＳＬリソースへの干渉は、高調波、変調間歪みＩＭＤ（ｉｎｔｅｒ−ｍｏｄｕｌａｔｉｏｎ  ｄｉｓｔｏｒｔｉｏｎ）や隣接周波数漏洩等であり得る。
【００９０】
この例によって説明したいのは、Ｕｕインターフェイスは、ある周波数のリソース上で機能している（例えばデータを送信又は受信している）とき、別の周波数のリソースに干渉してしまうため、前記Ｕｕインターフェイスに用いるリソースによる候補ＳＬリソースへの干渉の度合に基づいて、ターゲットＳＬリソースを特定してもよいことである。具体的には、前記Ｕｕインターフェイスに用いるリソースによる候補ＳＬリソースへの干渉の度合が一定のしきい値未満となる候補ＳＬリソースを、ターゲットＳＬリソースとして特定してもよい。こうして、ターゲットＳＬリソースを用いてターゲットＳＬサービスを処理する時に端末機器が受ける干渉を低減し、ターゲットＳＬサービスがスムーズに処理されるのを保証することができる。
【００９１】
更なる一例として、上記第一の具体的な実施形態において、リソース特定モジュール３０１における候補ＳＬリソースには、前記端末機器にサポートされているそれぞれの無線アクセス技術ＲＡＴに対応するＳＬリソースプール内のリソースが含まれてもよく、前記プリセット情報には、前記Ｕｕインターフェイスに用いるリソースの関連情報が含まれ、且つ前記関連情報には、前記Ｕｕインターフェイスによって選ばれたＲＡＴの情報が含まれる。
【００９２】
それに応じて、リソース特定モジュール３０１は、具体的に、前記プリセット情報に基づいて、前記Ｕｕインターフェイスによって選ばれたターゲットＲＡＴを特定することと、前記候補ＳＬリソースの中の、前記ターゲットＲＡＴに対応するＳＬリソースプールから、前記ターゲットＳＬリソースを特定するために用いられてもよい。
【００９３】
この例において、Ｕｕインターフェイスによって現在選ばれているＲＡＴに基づいて、ターゲットＳＬリソースを特定している。こうして、特定されたターゲットＳＬリソースに対応するＲＡＴと、Ｕｕインターフェイスによって現在選ばれているＲＡＴとが一致せず、ＲＡＴの切り替えが必要になるという現象の発生を回避できる。
【００９４】
更に別の一例として、上記第一の具体的な実施形態において、リソース特定モジュール３０１におけるプリセット情報には、前記ターゲットＳＬリソースを搬送するキャリアの属性が含まれ、且つ本開示の実施例によるサイドリンクリソース特定方法は、前記端末機器の特徴情報及び前記ターゲットＳＬサービスの特徴情報のうち少なくとも１つに基づいて、前記ターゲットＳＬリソースを搬送するキャリアの属性を特定することを更に包含してもよい。
【００９５】
そのうち、キャリアの属性は、サブキャリア間隔ＳＣＳ又は帯域幅部分ＢＷＰによって表されてもよい。端末機器の特徴情報には、前記端末機器の移動速度が含まれてもよいが、これに限定されない。そのうち、ターゲットＳＬサービスの特徴情報には、前記ターゲットＳＬサービスの優先度情報と、前記ターゲットＳＬサービスを搬送する論理チャネル情報とのうち、何れか１つが含まれてもよいが、これに限定されない。
【００９６】
例えば、一般に、キャリアの属性がサブキャリア間隔ＳＣＳによって表されれば、端末機器の移動速度が速いか、或いはターゲットＳＬサービスの優先度が高いほど、それに応じて、特定されるターゲットＳＬリソースのキャリアのサブキャリア間隔ＳＣＳが大きくなり、キャリアの属性が帯域幅部分ＢＷＰによって表されれば、端末機器の移動速度が速いほど、それに応じて、ターゲットＳＬリソースのキャリアの属性として、高速移動の端末機器をサポートしている旨の識別子付きの帯域幅部分ＢＷＰが選択される。実際の応用において、端末機器の特徴情報又はターゲットＳＬサービスの特徴情報と、ターゲットＳＬリソースを搬送するキャリアの属性との対応関係を予め構築しておき、その後、当該対応関係に基づいて、ターゲットＳＬリソースを搬送するキャリアの属性を特定してもよい。
【００９７】
それに応じて、上記リソース特定モジュール３０１は、前記プリセット情報に基づいて、前記候補ＳＬリソースの中の、前記属性を持つＳＬリソースを、前記ターゲットＳＬリソースとして特定するために用いられてもよい。
【００９８】
この例において、ターゲットＳＬリソースを搬送するキャリアの属性に基づいて、ターゲットＳＬリソースを特定している。こうして、特定のＳＬサービス又は特定の論理チャネル上で搬送されるＳＬサービスが特定のＳＬリソースを使用しなければならないというニーズを満たすことができる。
【００９９】
第二の具体的な実施形態において、リソース特定モジュール３０１は、プリセット情報及びプリセットパラメータに基づいて、候補サイドリンクＳＬリソースから、ターゲットＳＬサービスに対するターゲットＳＬリソースを特定するために用いられてもよい。
【０１００】
例えば、図４に示すように、リソース特定モジュール３０１は、以下の第一特定サブモジュール４０１及び第二特定サブモジュール４０２を含んでもよい。
【０１０１】
第一特定サブモジュール４０１は、前記プリセット情報に基づいて、前記候補ＳＬリソースから、前記ターゲットＳＬサービスに対する第一ＳＬリソースを特定するためのものである。
【０１０２】
説明すべきなのは、第一特定サブモジュール４０１による第一ＳＬリソースの特定方式は、前文に記載の第一の具体的な実施形態におけるターゲットＳＬリソースの特定方式に対応して一致していることであり、重複を回避するために、ここでは繰り返して説明しない。
【０１０３】
第二特定サブモジュール４０２は、前記第一ＳＬリソースのプリセットパラメータと第二ＳＬリソースのプリセットパラメータが第一プリセット条件を満たす場合、前記候補ＳＬリソースの中のＳＬリソースである前記第二ＳＬリソースを、前記ターゲットＳＬリソースとして特定するためのものである。
【０１０４】
選択的に、前記第一ＳＬリソースのプリセットパラメータと第二ＳＬリソースのプリセットパラメータが上記第一プリセット条件を満たさない場合、前記第一ＳＬリソースを前記ターゲットＳＬリソースとして特定する。
【０１０５】
この実施形態において、第二ＳＬリソースは、候補ＳＬリソースの中の、第一ＳＬリソースとは異なるリソースであり、つまり、第一ＳＬリソースとして選択されていない候補ＳＬリソースである。一例として、第二ＳＬリソースは、候補ＳＬリソースの中の、第一ＳＬリソース以外の一部又は全てのＳＬリソースであってもよい。
【０１０６】
上述のように、プリセットパラメータには、前記候補ＳＬリソースの利用率及び前記候補ＳＬリソースの通信品質パラメータのうち、少なくとも１つが含まれてもよいが、これらに限定されない。
【０１０７】
それに応じて、一例において、プリセットパラメータに前記候補ＳＬリソースの利用率が含まれれば、第二特定サブモジュール４０２は、前記第一ＳＬリソースの利用率が前記第二ＳＬリソースの利用率よりも第二閾値だけ高い場合、前記第二ＳＬリソースを前記ターゲットＳＬリソースとして特定するために用いられてもよい。
【０１０８】
そのうち、リソースの利用率は、チャネル占用率ＣＢＲに基づいて特定されてもよい。
【０１０９】
リソースの利用率がリソースの繁忙度合を反映しているため、あるリソースの利用率が高いほど（チャネル占用率ＣＢＲが大きいほど）、当該リソースが繁忙になり、逆の場合、暇になる。従って、理解できるように、この例によって説明したいのは、ターゲットＳＬサービスに対する第一ＳＬリソースが第一特定サブモジュール４０１により特定された後、そのまま第一ＳＬリソースをターゲットＳＬリソースとするのではなく、候補ＳＬリソースの中の、第一ＳＬリソースとして選択されていないＳＬリソースの方がより低い繁忙度合になっているかを更に特定する必要があり、第一ＳＬリソースが第二ＳＬリソースよりも繁忙であれば、第二ＳＬリソースをターゲットＳＬリソースとして選択し、逆の場合に限って、第一ＳＬリソースをターゲットＳＬリソースとして選択することである。これは、ターゲットＳＬサービスがより好適に処理されるのを、最終的に特定されたターゲットＳＬリソースによって保証できるようにするためである。
【０１１０】
別の一例において、プリセットパラメータに前記候補ＳＬリソースの通信品質パラメータが含まれれば、第二特定サブモジュール４０２は、前記第一ＳＬリソースの通信品質パラメータが前記第二ＳＬリソースの通信品質パラメータよりも第三閾値だけ低い場合、前記第二ＳＬリソースを前記ターゲットＳＬリソースとして特定するために用いられてもよい。
【０１１１】
そのうち、通信品質パラメータには、ＲＳＲＰ及びＲＳＲＱが含まれてもよいが、これらに限定されない。
【０１１２】
通信品質パラメータがリソースの性能を反映しているため、あるリソースの通信品質パラメータが高いほど、当該リソースの性能が良好となり、逆の場合、その性能が悪くなる。従って、理解できるように、この例によって説明したいのは、ターゲットＳＬサービスに対する第一ＳＬリソースが第一特定サブモジュール４０１により特定された後、そのまま第一ＳＬリソースをターゲットＳＬリソースとするのではなく、候補ＳＬリソースの中の第一ＳＬリソースとして選択されていないＳＬリソースの方がより良好な性能になっているかを更に特定する必要があり、第二ＳＬリソースよりも第一ＳＬリソースの性能が悪ければ、第二ＳＬリソースをターゲットＳＬリソースとして選択し、逆の場合に限って、第一ＳＬリソースをターゲットＳＬリソースとして選択することである。これは、ターゲットＳＬサービスがより好適に処理されるのを、最終的に特定されたターゲットＳＬリソースによって保証できるようにするためである。
【０１１３】
第三の具体的な実施形態において、リソース特定モジュール３０１は、プリセットパラメータに基づいて、候補サイドリンクＳＬリソースから、ターゲットＳＬサービスに対するターゲットＳＬリソースを特定するために用いられてもよい。
【０１１４】
具体的に、リソース特定モジュール３０１は、前記候補ＳＬリソースの中の、前記プリセットパラメータが第二プリセット条件を満たすＳＬリソースを、前記ターゲットＳＬリソースとして特定するために用いられてもよい。
【０１１５】
例えば、前記プリセットパラメータが候補ＳＬリソースの利用率であれば、前記候補ＳＬリソースの中の、利用率が最低となるか、或いはある閾値未満となるＳＬリソースを、前記ターゲットＳＬリソースとして特定してもよい。
【０１１６】
更に例えば、前記プリセットパラメータが候補ＳＬリソースの通信品質パラメータであれば、前記候補ＳＬリソースの中の、通信品質パラメータが最高となるか、あるいはある閾値超となるＳＬリソースを、前記ターゲットＳＬリソースとして特定してもよい。
【０１１７】
上記図３に示す端末機器３００は、上記図１に示すサイドリンクリソース特定方法の各実施例を実現するために用いられ、関連部分について、上記方法実施例を参照されたい。
【０１１８】
図５は、本開示の別の一実施例に係る端末機器の構造模式図である。図５に示す端末機器５００は、少なくとも１つのプロセッサ５０１と、メモリ５０２と、少なくとも１つのネットワークインターフェース５０４と、ユーザインターフェース５０３とを含む。ユーザ機器５００内の各コンポーネントは、バスシステム５０５を介して結合されている。理解できるように、バスシステム５０５は、これらのコンポーネントの間の接続通信を実現するためのものである。バスシステム５０５は、データバスに加え、電源バス、制御バス及び状態信号バスを含むが、説明を明確にするために、図５では、各種のバスを全てバスシステム５０５として示している。
【０１１９】
そのうち、ユーザインターフェース５０３は、ディスプレイ、キーボード又はポインティング機器（例えば、マウス、トラックボール（ｔｒａｃｋｂａｌｌ）、タッチパネル又はタッチスクリーン等）を含んでもよい。
【０１２０】
理解できるように、本開示の実施例におけるメモリ５０２は、揮発性メモリ又は不揮発性メモリであってもよく、或いは、揮発性と不揮発性メモリとの両方を含んでもよい。そのうち、不揮発性メモリは、読み取り専用メモリＲＯＭ（Ｒｅａｄ−Ｏｎｌｙ  Ｍｅｍｏｒｙ）、プログラマブル読み取り専用メモリＰＲＯＭ（Ｐｒｏｇｒａｍｍａｂｌｅ  ＲＯＭ）、消去可能なプログラマブル読み取り専用メモリＥＰＲＯＭ（Ｅｒａｓａｂｌｅ  ＰＲＯＭ）、電気的に消去可能なプログラマブル読み取り専用メモリＥＥＰＲＯＭ（Ｅｌｅｃｔｒｉｃａｌｌｙ  ＥＰＲＯＭ）、又は、フラッシュメモリであってもよい。揮発性メモリは、ランダムアクセスメモリＲＡＭ（Ｒａｎｄｏｍ  Ａｃｃｅｓｓ  Ｍｅｍｏｒｙ）であってもよく、外部高速キャッシュとして用いられる。例示的に説明すると、例えば静的ランダムアクセスメモリＳＲＡＭ（Ｓｔａｔｉｃ  ＲＡＭ）、動的ランダムアクセスメモリＤＲＡＭ（Ｄｙｎａｍｉｃ  ＲＡＭ）、同期動的ランダムアクセスメモリＳＤＲＡＭ（Ｓｙｎｃｈｒｏｎｏｕｓ  ＤＲＡＭ）、ダブルデータレート同期動的ランダムアクセスメモリＤＤＲＳＤＲＡＭ（Ｄｏｕｂｌｅ  Ｄａｔａ  ｒａｔｅ  ＳＤＲＡＭ）、拡張同期動的ランダムアクセスメモリＥＳＤＲＡＭ（Ｅｎｈａｎｃｅｄ  ＳＤＲＡＭ）、同期接続動的ランダムアクセスメモリＳＬＤＲＡＭ（Ｓｙｎｃｈ  ｌｉｎｋ  ＤＲＡＭ）及びダイレクト  メモリバスランダムアクセスメモリＤＲＲＡＭ（Ｄｉｒｅｃｔ  Ｒａｍｂｕｓ  ＲＡＭ）のような様々なＲＡＭが利用可能であるが、これらに限定されない。本開示の実施例に記載のシステム及び方法におけるメモリ５０２は、これら及び任意の他の適合タイプのメモリを含むが、限定されるものではない。
【０１２１】
いくつかの実施形態において、メモリ５０２は、オペレーティングシステム５０２１、及びアプリケーションプログラム５０２２の実行可能なモジュール又はデータ構造、或いは、それらのサブセット又は拡張セットを記憶している。
【０１２２】
そのうち、オペレーティングシステム５０２１は、各種の基礎業務及びハードウェアに基づくタスクを扱うために、例えばフレームワークレイヤ、コアライブラリレイヤ、ドライバレイヤ等の各種のシステムプログラムを含む。アプリケーションプログラム５０２２は、各種のアプリケーション業務を実現するために、例えばメディアプレーヤ（Ｍｅｄｉａ  Ｐｌａｙｅｒ）、ブラウザ（Ｂｒｏｗｓｅｒ）等の各種のアプリケーションプログラムを含む。本開示の実施例に係る方法を実現するプログラムは、アプリケーションプログラム５０２２に含まれることが可能である。
【０１２３】
本開示の実施例において、端末機器５００は、メモリ５０２に記憶されてプロセッサ５０１上で動作可能なコンピュータプログラムを更に含み、コンピュータプログラムがプロセッサ５０１によって実行されると、上記サイドリンクリソース特定方法の各手順が実現され、同じ技術的効果も達成できるが、重複を回避するために、ここで繰り返して説明しない。
【０１２４】
本開示の上記実施例に開示の方法は、プロセッサ５０１に適用されるか、あるいは、プロセッサ５０１によって実現され得る。プロセッサ５０１は、信号の処理能力を有する集積回路チップであってもよい。実現の際、上記方法の各ステップは、プロセッサ５０１内のハードウェアである集積ロジック回路又はソフトウェア形式のコマンドによって完成可能である。上記のプロセッサ５０１は、汎用プロセッサ、デジタル信号プロセッサＤＳＰ（Ｄｉｇｉｔａｌ  Ｓｉｇｎａｌ  Ｐｒｏｃｅｓｓｏｒ）、特定用途向け集積回路ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイＦＰＧＡ（Ｆｉｅｌｄ  Ｐｒｏｇｒａｍｍａｂｌｅ  Ｇａｔｅ  Ａｒｒａｙ）又は、他のプログラマブルロジックデバイス、ディスクリートゲート又はトランジスタロジックデバイス、ディスクリートハードウェアコンポーネントであってもよい。本開示の実施例に開示の各方法、ステップ及びロジックブロック図を実現又は実行可能である。汎用プロセッサは、マイクロプロセッサや、いかなる常用的なプロセッサ等であってもよい。本開示の実施例に開示の方法のステップは、直接具現化として、ハードウェアデコーダプロセッサによる実行で完成されてもよいし、或いは、デコーダプロセッサ内のハードウェア及びソフトウェアモジュールの組み合わせによる実行で完成されてもよい。ソフトウェアモジュールは、ランダムメモリ、フラッシュメモリ、読み取り専用メモリ、プログラマブル読み取り専用メモリや、電気的に消去可能なプログラマブルメモリ、レジスタ等の当分野において成熟されているコンピュータ読取可能な記憶媒体内に位置することが可能である。当該コンピュータ読取可能な記憶媒体は、メモリ５０２にあり、プロセッサ５０１は、メモリ５０２内の情報を読み取り、そのハードウェアと結合して、上記方法のステップを完成する。具体的に、当該コンピュータ読取可能な記憶媒体にコンピュータプログラムが記憶されており、コンピュータプログラムがプロセッサ５０１によって実行されると、上記サイドリンクリソース特定方法の実施例の各ステップが実現される。
【０１２５】
理解できるように、本開示の実施例に記載のこれらの実施例は、ハードウェア、ソフトウェア、ファームウェア、ミドルウェア、マイクロコード、又は、その組み合わせによって実現可能である。ハードウェアによる実現について、処理ユニットは、１つ又は複数の特定用途向け集積回路ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサＤＳＰ（Ｄｉｇｉｔａｌ  Ｓｉｇｎａｌ  Ｐｒｏｃｅｓｓｏｒ）、デジタル信号処理デバイスＤＳＰＤ（ＤＳＰ  Ｄｅｖｉｃｅ）、プログラマブルロジックデバイスＰＬＤ（Ｐｒｏｇｒａｍｍａｂｌｅ  Ｌｏｇｉｃ  Ｄｅｖｉｃｅ）、フィールドプログラマブルゲートアレイ、汎用プロセッサ、コントローラ、マイクロコントローラ、マイクロプロセッサ、本開示の前記機能を実行するための他の電子ユニット又はその組み合わせの中に実現可能である。
【０１２６】
ソフトウェアによる実現について、本開示の実施例に記載の機能を実行するモジュール（例えばプロセス、関数等）によって、本開示の実施例に記載の技術を実現することが可能である。ソフトウェアコードは、メモリに記憶されてプロセッサによって実行され得る。メモリは、プロセッサの内部、又は、プロセッサの外部で実現可能である。
【０１２７】
本開示の実施例は、コンピュータプログラムを記憶したコンピュータ読取可能な記憶媒体を更に提供しており、当該コンピュータプログラムがプロセッサによって実行されると、上記サイドリンクリソース特定方法の実施例の各手順が実現され、同じ技術的効果も達成できるが、重複を回避するために、ここで繰り返して説明しない。そのうち、前記コンピュータ読取可能な記憶媒体は、例えば読み取り専用メモリ（Ｒｅａｄ−Ｏｎｌｙ  Ｍｅｍｏｒｙ、ＲＯＭと略す）、ランダムアクセスメモリ（Ｒａｎｄｏｍ  Ａｃｃｅｓｓ  Ｍｅｍｏｒｙ、ＲＡＭと略す）、磁気ディスクや光ディスク等である。
【０１２８】
本開示の実施例は、コマンドを含むコンピュータプログラム製品を更に提供しており、コンピュータによって前記コンピュータプログラム製品の前記コマンドが実行されると、上記サイドリンクリソース特定方法又は上記サイドリンクリソース特定方法が前記コンピュータによって実行される。具体的に、当該コンピュータプログラム製品は、上記ネットワーク機器上で動作可能である。
【０１２９】
当業者であれば、本明細書に開示の実施例に関連して説明した各例におけるユニット及びアルゴリズムステップは、電子ハードウェア、又はコンピュータソフトウェアと電子ハードウェアとの組み合わせによって実現できることに気づき得る。これらの機能がハードウェアによって実行されるか、それともソフトウェアによって実行されるかは、技術案の特定適用及び設計制約用件に依存する。当業者は、特定の適用ごとに、説明した機能を実現するために異なる方法を使用し得るが、このような実現は、本開示の範囲外と見なされるべきではない。
【０１３０】
説明の便宜及び簡潔のために、上記に記載のシステム、装置及びユニットの具体的な動作手順については、上記の方法実施例における対応する手順を参照することができ、ここでは繰り返して説明しないことを当業者には明確に理解されよう。
【０１３１】
本開示によるいくつかの実施例において、開示されたシステム、装置及び方法が他の方式で実現され得ることを理解されたい。例えば、上記で説明した装置実施例は、例示的なものに過ぎない。例えば、前記ユニットの分割は、論理機能の分割に過ぎず、実際の実現のとき、他の分割方式もあり得る。例えば、複数のユニット又はコンポーネントは、別のシステムに組み合わされるか、或いは統合されてもよいし、いくつかの特徴が無視されるか、或いは実行されなくてもよい。さらに、掲示又は説明した相互結合、直接結合又は通信接続は、いくつかのインターフェースを用いて実現されてもよい。装置間又はユニット間の間接結合又は通信接続は、電子的な形態、機械的な形態、又は他の形態であってもよい。
【０１３２】
別個の部品として説明したユニットは、物理的に分離されていても、そうでなくてもよく、ユニットとして示した部品は、物理的なユニットであっても、そうでなくてもよく、同じ場所に位置してもよいし、複数のネットワークユニットに分散されてもよい。本実施例に係る技術案の目的を達成するために、実際のニーズに応じて、一部又は全てのユニットを選択すればよい。
【０１３３】
また、本開示の各実施例における各機能ユニットは、１つの処理ユニットに統合されてもよいし、各ユニットは、物理的に単独で存在してもよく、更に、２つ以上のユニットは、１つのユニットに統合されてもよい。
【０１３４】
上記機能は、ソフトウェア機能ユニットの形で実現され、独立した製品として販売又は使用される場合、コンピュータ読取可能な記憶媒体に記憶されてもよい。このような理解に基づいて、本開示の技術案の本質的部分、又は関連技術に対する貢献をもたらす部分、又は当該技術案の部分は、ソフトウェア製品の形で具現化することができる。当該コンピュータソフトウェア製品は、記憶媒体に記憶され、本開示の各実施例に記載の方法における全て又は一部のステップを、コンピュータデバイス（パーソナルコンピュータ、サーバ、又はネットワーク機器であり得る）に実行させるためのいくつかのコマンドを含む。上記の記憶媒体は、ＵＳＢフラッシュドライブ、ポータブルハードディスク、読み取り専用メモリＲＯＭ（Ｒｅａｄ−Ｏｎｌｙ  Ｍｅｍｏｒｙ）、ランダムアクセスメモリＲＡＭ（Ｒａｎｄｏｍ  Ａｃｃｅｓｓ  Ｍｅｍｏｒｙ）、磁気ディスク、又は光ディスクなどのプログラムコードを記憶することができるあらゆる媒体を含む。
【０１３５】
当業者であれば理解できるように、上記実施例に係る方法における全て又は一部のフローは、コンピュータプログラムによって関連するハードウェアを制御することで実現されてもよく、前記のプログラムは、コンピュータ読取可能な記憶媒体に記憶されてもよく、当該プログラムは、実行されるとき、上記各方法の実施例のフローを含んでもよい。そのうち、上記記憶媒体は、磁気ディスク、光ディスク、ＲＯＭやＲＡＭ等であってもよい。
【０１３６】
上述したのは、本開示の具体的な実施形態に過ぎず、本開示の保護範囲は、これに限定されない。当業者であれば、本開示に記載の技術的範囲内で、変形や置換を容易に想到できるが、これらの変形や置換は、全て本開示の保護範囲内とされるべきである。従って、本開示の保護範囲は、添付された特許請求の範囲に従うべきである。
【図１】
2022502943.tif 000003
【図２】
2022502943.tif 000004
【図３】
2022502943.tif 000005
【図４】
2022502943.tif 000006
【図５】
2022502943.tif 000007
【手続補正書】
【提出日】令和3年5月11日(2021.5.11)
【手続補正１】
【補正対象書類名】明細書
【補正対象項目名】００１３
【補正方法】変更
【補正の内容】
【００１３】
理解されたいのは、本開示の実施例に係る技術案は、例えば、グローバルシステムオブモバイルコミュニケーションＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）システム、符号分割多元接続ＣＤＭＡ（Ｃｏｄｅ  Ｄｉｖｉｓｉｏｎ  Ｍｕｌｔｉｐｌｅ  Ａｃｃｅｓｓ）システム、広帯域符号分割多元接続ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービスＧＰＲＳ（Ｇｅｎｅｒａｌ  Ｐａｃｋｅｔ  Ｒａｄｉｏ  Ｓｅｒｖｉｃｅ）、長期進化ＬＴＥ（Ｌｏｎｇ  Ｔｅｒｍ  Ｅｖｏｌｕｔｉｏｎ）システム、ＬＴＥ周波数分割複信ＦＤＤ（Ｆｒｅｑｕｅｎｃｙ  Ｄｉｖｉｓｉｏｎ  Ｄｕｐｌｅｘ）システム、ＬＴＥ時分割複信ＴＤＤ（Ｔｉｍｅ  Ｄｉｖｉｓｉｏｎ  Ｄｕｐｌｅｘ）、ユニバーサルモバイルテレコミュニケーションシステムＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）又はワールドワイド・インターオペラビリティ・フォー・マイクロウェーブ・アクセスＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、第五世代５Ｇ（５ｔｈ  ｇｅｎｅｒａｔｉｏｎ）通信システム、又は新しい無線ＮＲ（Ｎｅｗ  Ｒａｄｉｏ）システムといった様々な通信システムに適用可能である。
【手続補正２】
【補正対象書類名】明細書
【補正対象項目名】００１５
【補正方法】変更
【補正の内容】
【００１５】
ネットワーク機器は、端末機器にリソースを割り当てるために無線アクセスネットワーク内に配置される装置であり、前記ネットワーク機器は、基地局であってもよく、前記基地局は、ＧＳＭ又はＣＤＭＡにおける基地局（Ｂａｓｅ  Ｔｒａｎｓｃｅｉｖｅｒ  Ｓｔａｔｉｏｎ、ＢＴＳ）であってもよいし、ＷＣＤＭＡにおける基地局（ＮｏｄｅＢ）であってもよく、ＬＴＥにおける進化型基地局（ｅｖｏｌｖｅｄ  Ｎｏｄｅ  Ｂ、ｅＮＢ又はｅ−ＮｏｄｅＢ）や５Ｇ基地局（ｇＮＢ）、並びに後続の進化型通信システムにおけるネットワーク側装置であってもよいが、言葉遣いは、本開示の保護範囲に対する制限を構成するものではない。
【手続補正３】
【補正対象書類名】明細書
【補正対象項目名】００３０
【補正方法】変更
【補正の内容】
【００３０】
一例として、上記第一の具体的な実施形態において、ステップ１０１における候補ＳＬリソースには、補足上りリンクＳＵＬ（Ｓｕｐｐｌｅｍｅｎｔａｒｙ  ＵｐＬｉｎｋ）キャリア上及び非ＳＵＬキャリア上にそれぞれ位置し且つ同じサービス品質ＱｏＳ（Ｑｕａｌｉｔｙ  ｏｆ  Ｓｅｒｖｉｃｅ）パラメータを持つＳＬリソースが含まれ、前記プリセット情報には、前記Ｕｕインターフェイスに用いるリソースの関連情報が含まれ、且つ前記関連情報には、前記Ｕｕインターフェイスに用いるＳＬリソースの情報が含まれる。
【手続補正４】
【補正対象書類名】明細書
【補正対象項目名】００３２
【補正方法】変更
【補正の内容】
【００３２】
そのうち、ＱｏＳパラメータには、具体的に、サービスの優先度、データパケット又はデータストリームのレイテンシ（ｌａｔｅｎｃｙ）、データパケット又はデータストリームの信頼性（Ｒｅｌｉａｂｉｌｉｔｙ）、データパケット又はデータストリームの通信距離（ｃｏｍｍｕｎｉｃａｔｉｏｎ  ｒａｎｇｅ）、データパケット又はデータストリームのサイズ（ｐａｙｌｏａｄ）、データパケット又はデータストリームの送信レート（ｔｒａｎｓｍｉｓｓｉｏｎ  ｒａｔｅ）、データパケット又はデータストリームのデータレート（Ｄａｔａ  ｒａｔｅ）といったパラメータのうち、１つ又は複数が含まれてもよいが、これらに限定されない。
【手続補正５】
【補正対象書類名】明細書
【補正対象項目名】００６５
【補正方法】変更
【補正の内容】
【００６５】
そのうち、通信品質パラメータには、参照信号受信電力ＲＳＲＰ（Ｒｅｆｅｒｅｎｃｅ  Ｓｉｇｎａｌ  Ｒｅｃｅｉｖｅｄ  Ｐｏｗｅｒ）及び参照信号受信品質ＲＳＲＱ（Ｒｅｆｅｒｅｎｃｅ  Ｓｉｇｎａｌ  Ｒｅｃｅｉｖｅｄ  Ｑｕａｌｉｔｙ）が含まれてもよいが、これらに限定されない。
【手続補正６】
【補正対象書類名】明細書
【補正対象項目名】００６６
【補正方法】変更
【補正の内容】
【００６６】
具体的に、第一ＳＬリソースの通信品質パラメータがｄに等しく、第二ＳＬリソースの通信品質パラメータがｅに等しく、第三閾値がｆであると仮定すれば、ｅ−ｄ＞ｆとなり、ここで、ｄ、ｅ、ｆは、何れも０以上である。
【手続補正７】
【補正対象書類名】明細書
【補正対象項目名】０１２０
【補正方法】変更
【補正の内容】
【０１２０】
理解できるように、本開示の実施例におけるメモリ５０２は、揮発性メモリ又は不揮発性メモリであってもよく、或いは、揮発性と不揮発性メモリとの両方を含んでもよい。そのうち、不揮発性メモリは、読み取り専用メモリＲＯＭ（Ｒｅａｄ−Ｏｎｌｙ  Ｍｅｍｏｒｙ）、プログラマブル読み取り専用メモリＰＲＯＭ（Ｐｒｏｇｒａｍｍａｂｌｅ  ＲＯＭ）、消去可能なプログラマブル読み取り専用メモリＥＰＲＯＭ（Ｅｒａｓａｂｌｅ  ＰＲＯＭ）、電気的に消去可能なプログラマブル読み取り専用メモリＥＥＰＲＯＭ（Ｅｌｅｃｔｒｉｃａｌｌｙ  ＥＰＲＯＭ）、又は、フラッシュメモリであってもよい。揮発性メモリは、ランダムアクセスメモリＲＡＭ（Ｒａｎｄｏｍ  Ａｃｃｅｓｓ  Ｍｅｍｏｒｙ）であってもよく、外部高速キャッシュとして用いられる。例示的に説明すると、例えば静的ランダムアクセスメモリＳＲＡＭ（Ｓｔａｔｉｃ  ＲＡＭ）、動的ランダムアクセスメモリＤＲＡＭ（Ｄｙｎａｍｉｃ  ＲＡＭ）、同期動的ランダムアクセスメモリＳＤＲＡＭ（Ｓｙｎｃｈｒｏｎｏｕｓ  ＤＲＡＭ）、ダブルデータレート同期動的ランダムアクセスメモリＤＤＲＳＤＲＡＭ（Ｄｏｕｂｌｅ  Ｄａｔａ  ｒａｔｅ  ＳＤＲＡＭ）、拡張同期動的ランダムアクセスメモリＥＳＤＲＡＭ（Ｅｎｈａｎｃｅｄ  ＳＤＲＡＭ）、同期接続動的ランダムアクセスメモリＳＬＤＲＡＭ（Ｓｙｎｃｈｌｉｎｋ  ＤＲＡＭ）及びダイレクト  メモリバスランダムアクセスメモリＤＲＲＡＭ（Ｄｉｒｅｃｔ  Ｒａｍｂｕｓ  ＲＡＭ）のような様々なＲＡＭが利用可能であるが、これらに限定されない。本開示の実施例に記載のシステム及び方法におけるメモリ５０２は、これら及び任意の他の適合タイプのメモリを含むが、限定されるものではない。
【手続補正８】
【補正対象書類名】明細書
【補正対象項目名】０１２８
【補正方法】変更
【補正の内容】
【０１２８】
本開示の実施例は、コマンドを含むコンピュータプログラム製品を更に提供しており、コンピュータによって前記コンピュータプログラム製品の前記コマンドが実行されると、上記サイドリンクリソース特定方法が前記コンピュータによって実行される。具体的に、当該コンピュータプログラム製品は、上記ネットワーク機器上で動作可能である。
【手続補正９】
【補正対象書類名】特許請求の範囲
【補正対象項目名】全文
【補正方法】変更
【補正の内容】
【特許請求の範囲】
【請求項１】
端末機器であって、
プリセット情報及びプリセットパラメータのうち少なくとも１つに基づいて、候補サイドリンクＳＬリソースから、ターゲットＳＬサービスに対するターゲットＳＬリソースを特定するためのリソース特定モジュールを含み、
前記プリセット情報には、前記端末機器のＵｕインターフェイスに用いるリソースの関連情報と、前記ターゲットＳＬリソースを搬送するキャリアの属性とのうち、何れか１つが含まれ、前記プリセットパラメータには、前記候補ＳＬリソースの利用率及び前記候補ＳＬリソースの通信品質パラメータのうち、少なくとも１つが含まれる、端末機器。
【請求項２】
前記候補ＳＬリソースには、補足上りリンクＳＵＬキャリア上及び非ＳＵＬキャリア上にそれぞれ位置し且つ同じサービス品質ＱｏＳパラメータを持つＳＬリソースが含まれ、前記プリセット情報には、前記Ｕｕインターフェイスに用いるリソースの関連情報が含まれ、且つ前記関連情報には、前記Ｕｕインターフェイスに用いるＳＬリソースの情報が含まれ、
前記リソース特定モジュールは、前記プリセット情報に基づいて、前記候補ＳＬリソースの中の、前記Ｕｕインターフェイスによって用いられるＳＬリソースを、前記ターゲットＳＬリソースとして特定するために用いられる、請求項１に記載の端末機器。
【請求項３】
前記プリセット情報には、前記Ｕｕインターフェイスに用いるリソースの関連情報が含まれ、且つ前記関連情報には、前記Ｕｕインターフェイスに用いるＳＬリソースのアクティブ化又は非アクティブ化の情報が含まれ、
前記リソース特定モジュールは、前記プリセット情報に基づいて、前記候補ＳＬリソースの中の、前記Ｕｕインターフェイスによって用いられ且つアクティブ状態にあるＳＬリソースを、前記ターゲットＳＬリソースとして特定するために用いられる、請求項１に記載の端末機器。
【請求項４】
前記リソース特定モジュールは、具体的に、前記候補ＳＬリソースの中の、前記Ｕｕインターフェイスによって用いられ且つアクティブ状態にあるセカンダリセルＳｃｅｌｌ又は帯域幅部分ＢＷＰに対応するＳＬリソースを、前記ターゲットＳＬリソースとして特定するために用いられる、請求項３に記載の端末機器。
【請求項５】
前記プリセット情報には、前記Ｕｕインターフェイスに用いるリソースの関連情報が含まれ、前記関連情報には、前記Ｕｕインターフェイスに用いるリソースによる候補ＳＬリソースへの干渉の情報が含まれ、
前記リソース特定モジュールは、前記プリセット情報に基づいて、前記候補ＳＬリソースの中の、前記Ｕｕインターフェイスに用いるリソースによる干渉の度合が第一閾値未満のＳＬリソースを、前記ターゲットＳＬリソースとして特定するために用いられる、請求項１に記載の端末機器。
【請求項６】
前記候補ＳＬリソースには、前記端末機器にサポートされているそれぞれの無線アクセス技術ＲＡＴに対応するＳＬリソースプール内のリソースが含まれ、前記プリセット情報には、前記Ｕｕインターフェイスに用いるリソースの関連情報が含まれ、且つ前記関連情報には、前記Ｕｕインターフェイスによって選ばれたＲＡＴの情報が含まれ、
前記リソース特定モジュールは、前記プリセット情報に基づいて、前記Ｕｕインターフェイスによって選ばれたターゲットＲＡＴを特定し、前記候補ＳＬリソースの中の、前記ターゲットＲＡＴに対応するＳＬリソースプールから、前記ターゲットＳＬリソースを特定するために用いられる、請求項１に記載の端末機器。
【請求項７】
前記端末機器の特徴情報及び前記ターゲットＳＬサービスの特徴情報のうち少なくとも１つに基づいて、前記ターゲットＳＬリソースを搬送するキャリアの属性を特定するためのキャリア属性特定モジュールを更に含み、
前記リソース特定モジュールは、前記プリセット情報に基づいて、前記候補ＳＬリソースの中の、前記属性を持つＳＬリソースを、前記ターゲットＳＬリソースとして特定するために用いられる、請求項１に記載の端末機器。
【請求項８】
前記端末機器の特徴情報には、前記端末機器の移動速度が含まれ、
前記ターゲットＳＬサービスの特徴情報には、前記ターゲットＳＬサービスの優先度情報と、前記ターゲットＳＬサービスを搬送する論理チャネル情報とのうち、何れか１つが含まれ、
前記属性は、サブキャリア間隔ＳＣＳ又は帯域幅部分ＢＷＰによって表される、請求項７に記載の端末機器。
【請求項９】
前記リソース特定モジュールは、
前記プリセット情報に基づいて、前記候補ＳＬリソースから、前記ターゲットＳＬサービスに対する第一ＳＬリソースを特定するための第一特定サブモジュールと、
前記第一ＳＬリソースのプリセットパラメータと第二ＳＬリソースのプリセットパラメータが第一プリセット条件を満たす場合、前記候補ＳＬリソースの中のＳＬリソースである前記第二ＳＬリソースを、前記ターゲットＳＬリソースとして特定するための第二特定サブモジュールとを含む、請求項１に記載の端末機器。
【請求項１０】
前記プリセットパラメータには、前記候補ＳＬリソースの利用率が含まれ、
前記第二特定サブモジュールは、前記第一ＳＬリソースの利用率が前記第二ＳＬリソースの利用率よりも第二閾値だけ高い場合、前記第二ＳＬリソースを前記ターゲットＳＬリソースとして特定するために用いられる、請求項９に記載の端末機器。
【請求項１１】
前記プリセットパラメータには、前記候補ＳＬリソースの通信品質パラメータが含まれ、
前記第二特定サブモジュールは、前記第一ＳＬリソースの通信品質パラメータが前記第二ＳＬリソースの通信品質パラメータよりも第三閾値だけ低い場合、前記第二ＳＬリソースを前記ターゲットＳＬリソースとして特定するために用いられる、請求項９に記載の端末機器。
【請求項１２】
前記リソース特定モジュールは、前記候補ＳＬリソースの中の、前記プリセットパラメータが第二プリセット条件を満たすＳＬリソースを、前記ターゲットＳＬリソースとして特定するために用いられる、請求項１に記載の端末機器。
【請求項１３】
端末機器に適用されるサイドリンクリソース特定方法であって、
プリセット情報及びプリセットパラメータのうち少なくとも１つに基づいて、候補サイドリンクＳＬ（Ｓｉｄｅｌｉｎｋ）リソースから、ターゲットＳＬサービスに対するターゲットＳＬリソースを特定することを包含し、
前記プリセット情報には、前記端末機器のＵｕインターフェイスに用いるリソースの関連情報と、前記ターゲットＳＬリソースを搬送するキャリアの属性とのうち、何れか１つが含まれ、前記プリセットパラメータには、前記候補ＳＬリソースの利用率及び前記候補ＳＬリソースの通信品質パラメータのうち、少なくとも１つが含まれる、サイドリンクリソース特定方法。
【請求項１４】
前記候補ＳＬリソースには、補足上りリンクＳＵＬ（Ｓｕｐｐｌｅｍｅｎｔａｒｙ  ＵｐＬｉｎｋ）キャリア上及び非ＳＵＬキャリア上にそれぞれ位置し且つ同じサービス品質ＱｏＳパラメータを持つＳＬリソースが含まれ、前記プリセット情報には、前記Ｕｕインターフェイスに用いるリソースの関連情報が含まれ、且つ前記関連情報には、前記Ｕｕインターフェイスに用いるＳＬリソースの情報が含まれ、
前記のプリセット情報及びプリセットパラメータのうち少なくとも１つに基づいて、候補サイドリンクＳＬリソースから、ターゲットＳＬサービスに対するターゲットＳＬリソースを特定することは、
前記プリセット情報に基づいて、前記候補ＳＬリソースの中の、前記Ｕｕインターフェイスによって用いられるＳＬリソースを、前記ターゲットＳＬリソースとして特定することを包含する、請求項１３に記載のサイドリンクリソース特定方法。
【請求項１５】
無線通信プログラムを記憶したコンピュータ読取可能な媒体であって、前記無線通信プログラムがプロセッサによって実行されると、請求項１３〜１４の何れか一項に記載のサイドリンクリソース特定方法が実現される、コンピュータ読取可能な媒体。
【国際調査報告】
2022502943.tif 000008
2022502943.tif 000009
2022502943.tif 000010
2022502943.tif 000011
2022502943.tif 000012
2022502943.tif 000013